(57)【特許請求の範囲】
【請求項１】
エレベーター装置と、
前記エレベーター装置がネットワークを介して接続された外部装置と、
無線信号を発する発信装置と、
を備え、
前記エレベーター装置は、
操作盤を有し、ビルで上下に移動するかごと、
前記かごの移動を制御する制御装置と、
前記制御装置に接続され、前記外部装置と通信可能な監視装置と、
を備え、
前記発信装置は、前記かごが停止する乗場に設けられ、
前記発信装置が発する無線信号を特定の携帯端末が受信すると、前記携帯端末を特定するための識別情報が前記携帯端末から前記外部装置に送信され、
前記外部装置は、
子供が所持する第１機器を特定するための第１識別情報がその子供の保護者が所持する第２機器を特定するための第２識別情報に紐付けて記憶された記憶手段と、
前記携帯端末からの前記識別情報が前記第１識別情報に一致すると、特定の子供情報を前記監視装置に送信する第１通信手段と、
を備え、
前記監視装置は、
前記かごへの閉じ込めを検出する検出手段と、
前記検出手段によって閉じ込めが検出されると、前記外部装置から前記子供情報を受信していれば、前記ビルで閉じ込めが発生したことを前記外部装置から前記第２機器に通知するための情報を前記外部装置に送信する第２通信手段と、
を備え、
前記第２通信手段は、前記外部装置から前記子供情報を受信すると、前記操作盤から登録された呼びの情報を前記外部装置に送信し、
前記呼びの情報は、前記第１識別情報に紐付けて前記外部装置に記憶されるエレベーターシステム。
【請求項２】
前記記憶手段に、前記第１識別情報に紐付けて、当該子供が前記ビルで行くことを禁止されている階を特定するための階情報が記憶され、
前記第１通信手段は、前記携帯端末からの前記識別情報が前記第１識別情報に一致すると、前記階情報を前記監視装置に送信し、
前記監視装置は、前記外部装置から前記階情報を受信すると、前記階情報から特定される階への呼びが前記操作盤から登録されることを禁止する請求項１に記載のエレベーターシステム。
【請求項３】
エレベーター装置と、
前記エレベーター装置がネットワークを介して接続された外部装置と、
無線信号を発する発信装置と、
を備え、
前記エレベーター装置は、
操作盤を有し、ビルで上下に移動するかごと、
前記かごの移動を制御する制御装置と、
前記制御装置に接続され、前記外部装置と通信可能な監視装置と、
を備え、
前記発信装置は、前記かごが停止する乗場に設けられ、
前記発信装置が発する無線信号を特定の携帯端末が受信すると、前記携帯端末を特定するための識別情報が前記携帯端末から前記外部装置に送信され、
前記外部装置は、
子供が所持する第１機器を特定するための第１識別情報がその子供の保護者が所持する第２機器を特定するための第２識別情報に紐付けて記憶された記憶手段と、
前記携帯端末からの前記識別情報が前記第１識別情報に一致すると、特定の子供情報を前記監視装置に送信する第１通信手段と、
を備え、
前記監視装置は、
前記かごへの閉じ込めを検出する検出手段と、
前記検出手段によって閉じ込めが検出されると、前記外部装置から前記子供情報を受信していれば、前記ビルで閉じ込めが発生したことを前記外部装置から前記第２機器に通知するための情報を前記外部装置に送信する第２通信手段と、
を備え、
前記記憶手段に、前記第１識別情報に紐付けて、当該子供が前記ビルで行くことを禁止されている階を特定するための階情報が記憶され、
前記第１通信手段は、前記携帯端末からの前記識別情報が前記第１識別情報に一致すると、前記階情報を前記監視装置に送信し、
前記監視装置は、前記外部装置から前記階情報を受信すると、前記階情報から特定される階への呼びが前記操作盤から登録されることを禁止するエレベーターシステム。
【請求項４】
前記かごの負荷を検出する秤装置を更に備え、
前記かごは、ドアを備え、
前記検出手段は、前記秤装置によって第１基準値を超える負荷が検出され、且つ前記乗場で前記ドアの閉鎖動作が完了してから特定の時間が経過した際に前記操作盤の行先釦が押されていなければ、前記かごへの閉じ込めを検出し、
前記第１基準値は、前記かごの最大積載荷重を前記かごの定員で割った値より小さい請求項１から請求項３の何れか一項に記載のエレベーターシステム。
【請求項５】
前記第１基準値は、前記かごの最大積載荷重を前記かごの定員で割った値の２分の１の値より小さい請求項４に記載のエレベーターシステム。
【請求項６】
前記検出手段は、前記秤装置によって第２基準値を超える負荷が検出されている時に前記かごが階間で停止すると、前記かごへの閉じ込めを検出し、
前記第２基準値は、前記第１基準値より大きい請求項４又は請求項５に記載のエレベーターシステム。
【請求項７】
エレベーター装置と、
前記エレベーター装置がネットワークを介して接続された外部装置と、
無線信号を発する発信装置と、
を備え、
前記エレベーター装置は、
操作盤を有するかごと、
前記かごの移動を制御する制御装置と、
前記制御装置に接続され、前記外部装置と通信可能な監視装置と、
を備え、
前記発信装置は、前記かごが停止する乗場に設けられ、
前記発信装置が発する無線信号を特定の携帯端末が受信すると、前記携帯端末を特定するための識別情報が前記携帯端末から前記外部装置に送信され、
前記外部装置は、
子供が所持する第１機器を特定するための第１識別情報がその子供の保護者が所持する第２機器を特定するための第２識別情報に紐付けて記憶された記憶手段と、
前記携帯端末からの前記識別情報が前記第１識別情報に一致すると、特定の子供情報を前記監視装置に送信する第１通信手段と、
を備え、
前記監視装置は、前記外部装置から前記子供情報を受信すると、前記操作盤から登録された呼びの情報を前記外部装置に送信する第２通信手段を備え、
前記呼びの情報は、前記第１識別情報に紐付けて前記外部装置に記憶されるエレベーターシステム。
【請求項８】
前記第１通信手段は、特定の送信条件が成立すると、前記第１識別情報に紐付けて記憶された前記呼びの情報を、前記第２機器に送信する請求項７に記載のエレベーターシステム。
【請求項９】
エレベーター装置と、
前記エレベーター装置がネットワークを介して接続された外部装置と、
無線信号を発する発信装置と、
を備え、
前記エレベーター装置は、
操作盤を有し、ビルで上下に移動するかごと、
前記かごの移動を制御する制御装置と、
前記制御装置に接続され、前記外部装置と通信可能な監視装置と、
を備え、
前記発信装置は、前記かごが停止する乗場に設けられ、
前記発信装置が発する無線信号を特定の携帯端末が受信すると、前記携帯端末を特定するための識別情報が前記携帯端末から前記外部装置に送信され、
前記外部装置は、
子供が所持する第１機器を特定するための第１識別情報がその子供の保護者が所持する第２機器を特定するための第２識別情報とその子供が前記ビルで行くことを禁止されている階を特定するための階情報とに紐付けて記憶された記憶手段と、
前記携帯端末からの前記識別情報が前記第１識別情報に一致すると、前記階情報を前記監視装置に送信する通信手段と、
を備え、
前記監視装置は、前記外部装置から前記階情報を受信すると、前記階情報から特定される階への呼びが前記操作盤から登録されることを禁止し、
前記階情報は、前記第２機器で入力された前記第１識別情報と前記階情報とが前記第２機器から前記外部装置に送信されることにより、前記第１識別情報に紐付けて前記記憶手段に登録されるエレベーターシステム。
【発明の詳細な説明】
【技術分野】
【０００１】
この発明は、エレベーターシステムに関する。
【背景技術】
【０００２】
特許文献１に、エレベーター装置が記載されている。特許文献１に記載されたエレベーター装置では、利用者の身長が基準値より低いと、利用者が子供であると判定される。利用者が子供であれば、エレベーターの運転が通常モードから防犯モードに切り替えられる。
【先行技術文献】
【特許文献】
【０００３】
【特許文献１】国際公開第２０１７／２０３５７８号
【発明の概要】
【発明が解決しようとする課題】
【０００４】
従来のエレベーター装置では、利用者が子供であると特定されても、その情報を子供の保護者と共有することができなかった。【０００５】
この発明は、上述のような課題を解決するためになされた。この発明の目的は、エレベーターを利用する子供の保護者との間で特定の情報を共有することができるエレベーターシステムを提供することである。
【課題を解決するための手段】
【０００６】
この発明に係るエレベーターシステムは、エレベーター装置と、エレベーター装置がネットワークを介して接続された外部装置と、無線信号を発する発信装置と、を備える。エレベーター装置は、操作盤を有し、ビルで上下に移動するかごと、かごの移動を制御する制御装置と、制御装置に接続され、外部装置と通信可能な監視装置と、を備える。発信装置は、かごが停止する乗場に設けられる。発信装置が発する無線信号を特定の携帯端末が受信すると、携帯端末を特定するための識別情報が携帯端末から外部装置に送信される。外部装置は、子供が所持する第１機器を特定するための第１識別情報がその子供の保護者が所持する第２機器を特定するための第２識別情報に紐付けて記憶された記憶手段と、携帯端末からの識別情報が第１識別情報に一致すると、特定の子供情報を監視装置に送信する第１通信手段と、を備える。監視装置は、かごへの閉じ込めを検出する検出手段と、検出手段によって閉じ込めが検出されると、外部装置から子供情報を受信していれば、ビルで閉じ込めが発生したことを外部装置から第２機器に通知するための情報を外部装置に送信する第２通信手段と、を備える。第２通信手段は、外部装置から子供情報を受信すると、操作盤から登録された呼びの情報を外部装置に送信する。呼びの情報は、第１識別情報に紐付けて外部装置に記憶される。
この発明に係るエレベーターシステムは、エレベーター装置と、エレベーター装置がネットワークを介して接続された外部装置と、無線信号を発する発信装置と、を備える。エレベーター装置は、操作盤を有し、ビルで上下に移動するかごと、かごの移動を制御する制御装置と、制御装置に接続され、外部装置と通信可能な監視装置と、を備える。発信装置は、かごが停止する乗場に設けられる。発信装置が発する無線信号を特定の携帯端末が受信すると、携帯端末を特定するための識別情報が携帯端末から外部装置に送信される。外部装置は、子供が所持する第１機器を特定するための第１識別情報がその子供の保護者が所持する第２機器を特定するための第２識別情報に紐付けて記憶された記憶手段と、携帯端末からの識別情報が第１識別情報に一致すると、特定の子供情報を監視装置に送信する第１通信手段と、を備える。監視装置は、かごへの閉じ込めを検出する検出手段と、検出手段によって閉じ込めが検出されると、外部装置から子供情報を受信していれば、ビルで閉じ込めが発生したことを外部装置から第２機器に通知するための情報を外部装置に送信する第２通信手段と、を備える。記憶手段に、第１識別情報に紐付けて、当該子供がビルで行くことを禁止されている階を特定するための階情報が記憶される。第１通信手段は、携帯端末からの識別情報が第１識別情報に一致すると、階情報を監視装置に送信する。監視装置は、外部装置から階情報を受信すると、階情報から特定される階への呼びが操作盤から登録されることを禁止する。
【０００７】
この発明に係るエレベーターシステムは、エレベーター装置と、エレベーター装置がネットワークを介して接続された外部装置と、無線信号を発する発信装置と、を備える。エレベーター装置は、操作盤を有するかごと、かごの移動を制御する制御装置と、制御装置に接続され、外部装置と通信可能な監視装置と、を備える。発信装置は、かごが停止する乗場に設けられる。発信装置が発する無線信号を特定の携帯端末が受信すると、携帯端末を特定するための識別情報が携帯端末から外部装置に送信される。外部装置は、子供が所持する第１機器を特定するための第１識別情報がその子供の保護者が所持する第２機器を特定するための第２識別情報に紐付けて記憶された記憶手段と、携帯端末からの識別情報が第１識別情報に一致すると、特定の子供情報を監視装置に送信する第１通信手段と、を備える。監視装置は、外部装置から子供情報を受信すると、操作盤から登録された呼びの情報を外部装置に送信する第２通信手段を備える。呼びの情報は、第１識別情報に紐付けて外部装置に記憶される。
【０００８】
この発明に係るエレベーターシステムは、エレベーター装置と、エレベーター装置がネットワークを介して接続された外部装置と、無線信号を発する発信装置と、を備える。エレベーター装置は、操作盤を有し、ビルで上下に移動するかごと、かごの移動を制御する制御装置と、制御装置に接続され、外部装置と通信可能な監視装置と、を備える。発信装置は、かごが停止する乗場に設けられる。発信装置が発する無線信号を特定の携帯端末が受信すると、携帯端末を特定するための識別情報が携帯端末から外部装置に送信される。外部装置は、子供が所持する第１機器を特定するための第１識別情報がその子供の保護者が所持する第２機器を特定するための第２識別情報とその子供がビルで行くことを禁止されている階を特定するための階情報とに紐付けて記憶された記憶手段と、携帯端末からの識別情報が第１識別情報に一致すると、階情報を監視装置に送信する通信手段と、を備える。監視装置は、外部装置から階情報を受信すると、階情報から特定される階への呼びが操作盤から登録されることを禁止する。階情報は、第２機器で入力された第１識別情報と階情報とが第２機器から外部装置に送信されることにより、第１識別情報に紐付けて記憶手段に登録される。
【発明の効果】
【０００９】
この発明に係るエレベーターシステムであれば、エレベーターを利用する子供の保護者との間で特定の情報を共有することができる。
【図面の簡単な説明】
【００１０】
【図１】実施の形態１におけるエレベーターシステムの例を示す図である。
【図２】携帯端末の例を示す図である。
【図３】サーバの例を示す図である。
【図４】監視装置の例を示す図である。
【図５】携帯端末の動作例を示すフローチャートである。
【図６】サーバの動作例を示すフローチャートである。
【図７】監視装置の動作例を示すフローチャートである。
【図８】サーバの他の動作例を示すフローチャートである。
【図９】監視装置の他の動作例を示すフローチャートである。
【図１０】サーバの例を示す図である。
【図１１】監視装置の例を示す図である。
【図１２】監視装置の動作例を示すフローチャートである。
【図１３】サーバの他の動作例を示すフローチャートである。
【図１４】監視装置の例を示す図である。
【図１５】監視装置の動作例を示すフローチャートである。
【図１６】監視装置のハードウェア資源の例を示す図である。
【図１７】監視装置のハードウェア資源の他の例を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、実施の形態１におけるエレベーターシステムの例を示す図である。図１に示すエレベーターシステムは、例えばエレベーター装置１、発信装置２、携帯端末３、及びサーバ４を備える。
【００１３】
エレベーター装置１は、ネットワーク５を介してサーバ４に接続される。ネットワーク５は、例えばＩＰネットワークである。ＩＰネットワークは、通信プロトコルとしてＩＰ（Ｉｎｔｅｒｎｅｔ  Ｐｒｏｔｏｃｏｌ）を用いた通信ネットワークである。ネットワーク５は、クローズドネットワークでも良いし、オープンネットワークでも良い。サーバ４には、多数のエレベーター装置が接続される。エレベーター装置１は、サーバ４に接続されるエレベーター装置の一例である。例えば、エレベーター装置１は、ビルＢに備えられる。
【００１４】
エレベーター装置１は、かご１１及びつり合いおもり１２を備える。かご１１は、昇降路１３を上下に移動する。昇降路１３は、ビルＢの内部に形成された上下に延びる空間である。かご１１及びつり合いおもり１２は、主ロープ１４によって昇降路１３に吊り下げられる。主ロープ１４は、巻上機１５の駆動綱車１６に巻き掛けられる。巻上機１５は、制御装置１７によって制御される。即ち、制御装置１７は、かご１１の移動を制御する。制御装置１７に、監視装置１８が接続される。監視装置１８は、ネットワーク５を介してサーバ４と通信可能である。サーバ４は、監視装置１８が通信可能な外部装置の一例である。
【００１５】
かご１１は、操作盤１９、ドア２０、及び秤装置２１を備える。操作盤１９は、複数の行先釦を備える。行先釦は、かご１１に乗った利用者が自分の行先階の呼びを登録するために押す釦である。行先釦が押されると、特定の押下情報が制御装置１７に入力される。ドア２０は、制御装置１７によって開閉制御される。秤装置２１は、かご１１の負荷を検出する。秤装置２１が検出した負荷の情報は、制御装置１７に入力される。図１は、秤装置２１がかご１１に備えられる例を示す。秤装置２１は、かご１１以外の場所に設置されても良い。
【００１６】
発信装置２は、例えばビーコンである。発信装置２は、特定の周波数帯域の無線信号を発する。発信装置２は、かご１１が停止する乗場２２に設けられる。発信装置２は、かご１１が停止する全ての乗場２２に設けられても良い。発信装置２は、かご１１が停止する一部の乗場２２に設けられても良い。例えば、発信装置２は、ビルＢのロビー階の乗場２２にのみ設けられても良い。他の例として、発信装置２は、かご１１に設けられても良い。
【００１７】
携帯端末３は、利用者が所有する端末である。携帯端末３は、例えばスマートフォンである。本システムでは、携帯端末３に、エレベーター用の特定のアプリケーションが予めインストールされる。例えば、利用者は、エレベーター装置１の管理を行う保守会社のホームページに携帯端末３からアクセスすることにより、携帯端末３に上記アプリケーションをダウンロードすることができる。以下の説明では、このアプリケーションのことを「アプリケーションＡ」と表記する。
【００１８】
図２は、携帯端末３の例を示す図である。携帯端末３は、例えば表示器３１、及び入力装置３２を備える。表示器３１及び入力装置３２は、タッチパネル式の一体型の装置でも良い。図３は、サーバ４の例を示す図である。サーバ４は、例えば記憶部４１、通信部４２、判定部４３、及び特定部４４を備える。図４は、監視装置１８の例を示す図である。監視装置１８は、例えば通信部５１、判定部５２、及び検出部５３を備える。
【００１９】
以下に、本システムの動作について詳しく説明する。図５は、携帯端末３の動作例を示すフローチャートである。
【００２０】
乗場２２では、発信装置２が一定の周期で無線信号を発する。携帯端末３では、発信装置２が発した無線信号を受信したか否かが判定される（Ｓ１０１）。例えば、携帯端末３を所持する利用者が乗場２２に近づくと、発信装置２が発した無線信号が携帯端末３によって受信される（Ｓ１０１のＹｅｓ）。発信装置２が発した無線信号を携帯端末３が受信すると、携帯端末３では、アプリケーションＡが自動的に起動する（Ｓ１０２）。
【００２１】
発信装置２が発する無線信号は、携帯端末３にインストールされたアプリケーションＡを自動で起動させるための信号である。発信装置２が発する無線信号には、例えば発信装置２を特定するための識別情報Ｄ１が含まれる。Ｓ１０２でアプリケーションＡが起動すると、携帯端末３からサーバ４に第１信号が自動的に送信される（Ｓ１０３）。第１信号には、発信装置２からの識別情報Ｄ１が含まれる。更に、第１信号には、携帯端末３を特定するための識別情報Ｄ２が含まれる。
【００２２】
図６は、サーバ４の動作例を示すフローチャートである。サーバ４では、携帯端末３から第１信号を受信したか否かが判定される（Ｓ２０１）。Ｓ１０３で携帯端末３が送信した第１信号を通信部４２が受信すると、Ｓ２０１でＹｅｓと判定される。
【００２３】
記憶部４１に、保護者テーブルが記憶される。保護者テーブルには、第１機器を特定するための第１識別情報が、第２機器を特定するための第２識別情報に紐付けて記憶されている。第１機器は、子供が所持する機器である。例えば、第１機器は、子供が所持するスマートフォンである。第２機器は、その子供の保護者が所持する機器である。例えば、第２機器は、その子供の父親或いは母親が所持するスマートフォンである。保護者は、親でなくても良い。
【００２４】
一例として、携帯端末３にアプリケーションＡをダウンロードする際に、携帯端末３の表示器３１に、第１識別情報或いは第２識別情報を入力するための入力フォームが表示される。携帯端末３の所有者が子供であれば、その所有者或いは保護者は、入力装置３２から第２識別情報を入力し、携帯端末３からサーバ４に入力情報を送信する。この時、携帯端末３の識別情報Ｄ２は、入力装置３２から入力された第２識別情報と対をなす第１識別情報としてサーバ４に送信される。これにより、記憶部４１の保護者テーブルに、第１識別情報と第２識別情報とが紐付けて登録される。
【００２５】
同様に、携帯端末３の所有者がある子供の保護者であれば、その保護者は、入力装置３２から第１識別情報を入力し、携帯端末３からサーバ４に入力情報を送信する。この時、携帯端末３の識別情報Ｄ２は、入力装置３２から入力された第１識別情報と対をなす第２識別情報としてサーバ４に送信される。これにより、記憶部４１の保護者テーブルに、第１識別情報と第２識別情報とが紐付けて登録される。
【００２６】
判定部４３は、Ｓ２０１で通信部４２が受信した識別情報Ｄ２が、保護者テーブルに登録された第１識別情報の何れかと一致するか否かを判定する（Ｓ２０２）。識別情報Ｄ２がある第１識別情報に一致すると、通信部４２は、Ｓ２０１で受信した識別情報Ｄ１に基づいて、第２信号を監視装置１８に送信する（Ｓ２０３）。第２信号には、特定の子供情報が含まれる。子供情報は、携帯端末３の所有者が子供であることを示す情報とその子供が所有する携帯端末３を特定するために必要な情報とを含む。例えば、第２信号に、Ｓ２０２で特定された第１識別情報、即ち識別情報Ｄ２が含まれる。第２信号に、Ｓ２０２で特定された第１識別情報と対をなす第２識別情報が含まれても良い。
【００２７】
図７は、監視装置１８の動作例を示すフローチャートである。監視装置１８では、サーバ４から第２信号を受信したか否かが判定される（Ｓ３０１）。Ｓ２０３でサーバ４が送信した第２信号を通信部５１が受信すると、Ｓ３０１でＹｅｓと判定される。Ｓ３０１でＹｅｓと判定されると、判定部５２は、Ｓ３０１で通信部５１が受信した第２信号に、子供情報が含まれているか否かを判定する（Ｓ３０２）。第２信号に子供情報が含まれていれば、検出部５３は、かご１１への閉じ込めを検出するための処理を行う。図７のＳ３０３からＳ３０５に示す処理は、子供がかご１１に閉じ込められたことを検出するための処理である。
【００２８】
検出部５３は、秤装置２１によって検出されたかご１１の負荷が、第１基準値Ｒ１より大きいか否かを判定する（Ｓ３０３）。第１基準値Ｒ１は、予め設定される。例えば、かご１１の最大積載荷重をかご１１の定員で割った値ＲＡは、大人一人分の体重として設定された値である。第１基準値Ｒ１は、値ＲＡより小さい。第１基準値Ｒ１は、値ＲＡの２分の１より小さいことが好ましい。例えば、第１基準値Ｒ１は２０ｋｇである。
【００２９】
秤装置２１によって第１基準値Ｒ１を超える負荷が検出されると（Ｓ３０３のＹｅｓ）、検出部５３は、ドア２０の閉鎖動作が完了してから特定の時間が経過したか否かを判定する（Ｓ３０４）。例えば、検出部５３は、乗場２２でドア２０が完全に閉まってから３０秒が経過したか否かを判定する。
【００３０】
Ｓ３０４でＹｅｓと判定されると、検出部５３は、操作盤１９の行先釦が押されているか否かを判定する（Ｓ３０５）。Ｓ３０４でＹｅｓと判定された際に操作盤１９の行先釦が押されていなければ（Ｓ３０５のＮｏ）、検出部５３は、かご１１への閉じ込めを検出する（Ｓ３０６）。検出部５３によって閉じ込めが検出されると、通信部５１は、サーバ４に第３信号を送信する（Ｓ３０７）。第３信号には、ビルＢで閉じ込めが発生したことをサーバ４から第２機器に通知するための情報が含まれる。例えば、第３信号に、Ｓ３０１で受信した第１識別情報、即ち識別情報Ｄ２が含まれる。Ｓ３０１で受信した第２信号に第２識別情報が含まれている場合は、第３信号に当該第２識別情報が含まれても良い。
【００３１】
図８は、サーバ４の他の動作例を示すフローチャートである。サーバ４では、監視装置１８から第３信号を受信したか否かが判定される（Ｓ４０１）。Ｓ３０７で監視装置１８が送信した第３信号を通信部４２が受信すると、Ｓ４０１でＹｅｓと判定される。
【００３２】
Ｓ４０１でＹｅｓと判定されると、特定部４４は、閉じ込め通知の対象となる第２機器を特定する（Ｓ４０２）。例えば、Ｓ４０１で受信した第３信号には、第１識別情報、即ち識別情報Ｄ２が含まれる。特定部４４は、先ず、当該第１識別情報に紐付けて記憶部４１に記憶されている第２識別情報を特定する。次に、特定部４４は、当該第２識別情報から特定される第２機器を、閉じ込め通知の対象となる機器として特定する。通信部４２は、Ｓ４０１でＹｅｓと判定されると、特定部４４がＳ４０２で特定した第２機器に対して第４信号を送信する（Ｓ４０３）。第４信号には、ビルＢにおいて子供がかご１１に閉じ込められていることを知らせるための情報が含まれる。
【００３３】
本実施の形態に示す例であれば、エレベーターを利用する子供の保護者との間で、閉じ込めに関する情報を共有することができる。即ち、保護者に対して、閉じ込めに関する情報を提供することができる。
【００３４】
図９は、監視装置１８の他の動作例を示すフローチャートである。例えば、監視装置１８では、図７に示す動作と図９に示す動作の双方が行われる。監視装置１８では、かご１１への閉じ込めが発生したか否かが判定される（Ｓ５０１）。Ｓ５０１に示す処理は、一般的な閉じ込めを検出するための処理である。これに対し、上述したＳ３０３からＳ３０５に示す処理は、子供の閉じ込めを検出するための処理である。
【００３５】
例えば、検出部５３は、秤装置２１によって検出されたかご１１の負荷が、第２基準値Ｒ２より大きいか否かを判定する。第２基準値Ｒ２は、予め設定される。第２基準値Ｒ２は、第１基準値Ｒ１より大きい。一例として、第２基準値Ｒ２は値ＲＡに設定される。例えば、検出部５３は、秤装置２１によって第２基準値Ｒ２を超える負荷が検出されている時にかご１１が階間に停止すると、かご１１への閉じ込めを検出する（Ｓ５０１のＹｅｓ）。検出部５３は、他の条件が成立した場合にかご１１への閉じ込めを検出しても良い。
【００３６】
Ｓ５０１でＹｅｓと判定されると、監視装置１８では、サーバ４から第２信号を受信したか否かが判定される（Ｓ５０２）。Ｓ２０３でサーバ４が送信した第２信号を通信部５１が受信すると、Ｓ５０２でＹｅｓと判定される。Ｓ５０２でＹｅｓと判定されると、判定部５２は、Ｓ５０２で通信部５１が受信した第２信号に、子供情報が含まれているか否かを判定する（Ｓ５０３）。第２信号に子供情報が含まれていれば、通信部５１は、サーバ４に第３信号を送信する（Ｓ５０４）。例えば、第３信号に、Ｓ５０２で受信した第１識別情報が含まれる。
【００３７】
Ｓ５０４で監視装置１８が送信した第３信号をサーバ４が受信すると、サーバ４では、図８に示す動作が行われる。このため、図９に示す例においても、エレベーターを利用した子供の保護者に対して、閉じ込めに関する情報を提供することができる。
【００３８】
実施の形態２．
実施の形態１では、子供の保護者に対して、閉じ込めに関する情報を提供する例について説明した。本実施の形態では、子供の保護者に対して、エレベーターの利用履歴に関する情報を提供する例について説明する。エレベーターシステムは、閉じ込めに関する情報と利用履歴に関する情報との双方を保護者に提供しても良い。
【００３９】
携帯端末３の例は、図２に示す例と同様である。携帯端末３では、図５に示す動作が行われる。図１０は、サーバ４の例を示す図である。図１０に示すサーバ４は、登録部４５及び条件判定部４６を更に備える。サーバ４では、図６に示す動作が行われる。図１１は、監視装置１８の例を示す図である。図１１に示す監視装置１８は、判定部５４を更に備える。
【００４０】
図１２は、監視装置１８の動作例を示すフローチャートである。監視装置１８では、サーバ４から第２信号を受信したか否かが判定される（Ｓ６０１）。Ｓ２０３でサーバ４が送信した第２信号を通信部５１が受信すると、Ｓ６０１でＹｅｓと判定される。Ｓ６０１でＹｅｓと判定されると、判定部５２は、Ｓ６０１で通信部５１が受信した第２信号に、子供情報が含まれているか否かを判定する（Ｓ６０２）。
【００４１】
Ｓ６０２でＹｅｓと判定されると、判定部５４は、操作盤１９から呼びが登録されたか否かを判定する（Ｓ６０３）。上述したように、操作盤１９の行先釦が押されると、押下情報が制御装置１７に入力される。制御装置１７は、操作盤１９からの押下情報に基づいて呼びを登録する。制御装置１７において操作盤１９からの押下情報に基づく呼びが登録されると、Ｓ６０３でＹｅｓと判定される。Ｓ６０３でＹｅｓと判定されると、通信部５１は、サーバ４に第５信号を送信する（Ｓ６０４）。第５信号には、Ｓ６０１で受信した第１識別情報、即ち識別情報Ｄ２が含まれる。更に、第５信号には、操作盤１９から登録された呼びの情報が含まれる。
【００４２】
図１３は、サーバ４の他の動作例を示すフローチャートである。サーバ４では、監視装置１８から第５信号を受信したか否かが判定される（Ｓ７０１）。Ｓ６０４で監視装置１８が送信した第５信号を通信部４２が受信すると、Ｓ７０１でＹｅｓと判定される。
【００４３】
Ｓ７０１でＹｅｓと判定されると、登録部４５は、子供によるエレベーターの利用履歴を登録する。第５信号には、第１識別情報と呼びの情報とが含まれる。例えば、登録部４５は、第５信号に含まれる呼びの情報を第１識別情報に紐付けて記憶部４１に登録する。これにより、当該呼びの情報がサーバ４に一時的に記憶される（Ｓ７０２）。
【００４４】
条件判定部４６は、特定の送信条件が成立したか否かを判定する（Ｓ７０３）。送信条件は、予め設定される。一例として、送信条件は一定時間が経過する度に成立する。送信条件が成立すると（Ｓ７０３のＹｅｓ）、特定部４４は、呼びの情報が紐付けて記憶されている第１識別情報を特定する。また、特定部４４は、当該第１識別情報と対をなす第２識別情報から特定される第２機器を、利用履歴を通知する機器として特定する（Ｓ７０４）。通信部４２は、Ｓ７０３でＹｅｓと判定されると、特定部４４がＳ７０４で特定した第２機器に対して第６信号を送信する（Ｓ７０５）。第６信号には、ビルＢにおいて登録された行先呼びの情報が含まれる。
【００４５】
本実施の形態に示す例であれば、エレベーターを利用する子供の保護者との間で、利用履歴に関する情報を共有することができる。即ち、保護者に対して、利用履歴に関する情報を提供することができる。
【００４６】
なお、エレベーターの利用履歴に関する情報は、子供の保護者からの要求に応じてサーバ４から第２機器に提供されても良い。例えば、子供の保護者は、第２機器からサーバ４に対して特定の要求信号を送信する。要求信号には、第２機器を特定するための第２識別情報が含まれる。条件判定部４６は、第２機器から要求信号を受信すると、送信条件が成立したことを判定する（Ｓ７０３のＹｅｓ）。特定部４４は、当該要求信号を送信してきた第２機器を、利用履歴を通知する機器として特定する（Ｓ７０４）。通信部４２は、特定部４４がＳ７０４で特定した第２機器に対して第６信号を送信する（Ｓ７０５）。第６信号には、当該第２機器の第２識別情報と対をなす第１識別情報に紐付けて記憶された呼びの情報が含まれる。
【００４７】
条件判定部４６は、Ｓ７０３においてサーバ４に提供されたＩＤ及びパスワードからアクセス権限の有無を判定しても良い。
【００４８】
実施の形態３．
実施の形態１及び２では、サーバ４から子供の保護者に対して情報を提供する例について説明した。本実施の形態では、子供の保護者からサーバ４に対して情報を提供する例について説明する。エレベーターシステムでは、保護者に対する情報提供と保護者からの情報提供との双方が実現されても良い。
【００４９】
携帯端末３の例は、図２に示す例と同様である。携帯端末３では、図５に示す動作が行われる。サーバ４の例は、図３或いは図１０に示す例と同様である。サーバ４では、例えば図６に示す動作が行われる。
【００５０】
本実施の形態に示す例では、保護者テーブルに、第１識別情報が階情報に紐付けて記憶される。上述したように、第１識別情報は第１機器を特定するための情報であり、第１機器は子供が所持する機器である。階情報は、当該子供がビルにおいて行くことを禁止されている階を特定するための情報である。例えば、当該子供がビルＢの３階に行くことを禁止されている場合、３階を示す情報が階情報として保護者テーブルに記憶される。
【００５１】
一例として、携帯端末３にアプリケーションＡをダウンロードする際に、携帯端末３の表示器３１に、階情報を入力するための入力フォームが表示される。携帯端末３の所有者が子供であれば、その所有者或いは保護者は、入力装置３２から第２識別情報と階情報とを入力し、携帯端末３からサーバ４に入力情報を送信する。この時、携帯端末３の識別情報Ｄ２は、入力装置３２から入力された第２識別情報と対をなす第１識別情報としてサーバ４に送信される。これにより、記憶部４１の保護者テーブルに、第１識別情報と第２識別情報とが紐付けて登録される。また、保護者テーブルに、第１識別情報と階情報とが紐付けて登録される。
【００５２】
同様に、携帯端末３の所有者がある子供の保護者であれば、その保護者は、入力装置３２から第１識別情報と階情報とを入力し、携帯端末３からサーバ４に入力情報を送信する。この時、携帯端末３の識別情報Ｄ２は、入力装置３２から入力された第１識別情報と対をなす第２識別情報としてサーバ４に送信される。これにより、記憶部４１の保護者テーブルに、第１識別情報と第２識別情報とが紐付けて登録される。また、保護者テーブルに、第１識別情報と階情報とが紐付けて登録される。
【００５３】
図６のＳ２０２においてＹｅｓと判定されると、通信部４２は、第２信号を監視装置１８に送信する（Ｓ２０３）。本実施の形態に示す例では、第２信号に、子供情報と当該子供に対して設定された階情報とが含まれる。
【００５４】
図１４は、監視装置１８の例を示す図である。図１４に示す監視装置１８は、禁止部５５を更に備える。図１５は、監視装置１８の動作例を示すフローチャートである。監視装置１８では、サーバ４から第２信号を受信したか否かが判定される（Ｓ８０１）。Ｓ２０３でサーバ４が送信した第２信号を通信部５１が受信すると、Ｓ８０１でＹｅｓと判定される。Ｓ８０１でＹｅｓと判定されると、判定部５２は、Ｓ８０１で通信部５１が受信した第２信号に、子供情報が含まれているか否かを判定する（Ｓ８０２）。更に、判定部５２は、Ｓ８０１でＹｅｓと判定されると、Ｓ８０１で通信部５１が受信した第２信号に、階情報が含まれているか否かを判定する（Ｓ８０３）。
【００５５】
Ｓ８０１で通信部５１が受信した第２信号に子供情報と階情報との双方が含まれていれば、禁止部５５は、当該階情報から特定される階への呼びが操作盤１９から登録されることを禁止する（Ｓ８０４）。例えば、遊技場があるビルＢの３階が階情報として設定されている場合、子供の携帯端末３が発信装置２から無線信号を受信すると、かご１１内で３階の行先釦を押しても、３階への呼びは登録されない。禁止部５５は、Ｓ８０４において特定の時間帯のみ操作盤１９からの呼び登録を禁止しても良い。例えば、禁止部５５は、１８時から２４時までの間のみ、階情報から特定される階への呼び登録を禁止する。
【００５６】
実施の形態１から３において、監視装置１８が有する機能の一部は、制御装置１７に備えられても良い。また、監視装置１８が有する機能の全てが制御装置１７に備えられても良い。即ち、監視装置１８が制御装置１７の一機能として実現されても良い。
【００５７】
実施の形態１から３において、符号５１〜５５に示す各部は、監視装置１８が有する機能を示す。図１６は、監視装置１８のハードウェア資源の例を示す図である。監視装置１８は、ハードウェア資源として、プロセッサ６１とメモリ６２とを含む処理回路６０を備える。メモリ６２は、例えば半導体メモリである。監視装置１８は、メモリ６２に記憶されたプログラムをプロセッサ６１によって実行することにより、符号５１〜５５に示す各部の機能を実現する。
【００５８】
図１７は、監視装置１８のハードウェア資源の他の例を示す図である。図１７に示す例では、監視装置１８は、プロセッサ６１、メモリ６２、及び専用ハードウェア６３を含む処理回路６０を備える。図１７は、監視装置１８が有する機能の一部を専用ハードウェア６３によって実現する例を示す。監視装置１８が有する機能の全部を専用ハードウェア６３によって実現しても良い。専用ハードウェア６３として、単一回路、複合回路、プログラム化したプロセッサ、並列プログラム化したプロセッサ、ＡＳＩＣ、ＦＰＧＡ、又はこれらの組み合わせを採用できる。
【００５９】
同様に、符号４１〜４６に示す各部は、サーバ４が有する機能を示す。サーバ４のハードウェア資源の例は、図１６に示す例と同様である。例えば、サーバ４は、ハードウェア資源として、プロセッサとメモリとを含む処理回路を備える。記憶部４１の機能は、メモリによって実現される。サーバ４は、メモリに記憶されたプログラムをプロセッサによって実行することにより、符号４２〜４６に示す各部の機能を実現する。サーバ４のハードウェア資源の例は、図１７に示す例と同様であっても良い。かかる場合、サーバ４は、プロセッサ、メモリ、及び専用ハードウェアを含む処理回路を備える。即ち、サーバ４が有する機能の一部を専用ハードウェアによって実現しても良い。サーバ４が有する機能の全部を専用ハードウェアによって実現しても良い。
【産業上の利用可能性】
【００６０】
この発明は、利用者の携帯端末を利用したエレベーターシステムに適用できる。
【符号の説明】
【００６１】
１  エレベーター装置、  ２  発信装置、  ３  携帯端末、  ４  サーバ、  ５  ネットワーク、  １１  かご、  １２  つり合いおもり、  １３  昇降路、  １４  主ロープ、  １５  巻上機、  １６  駆動綱車、  １７  制御装置、  １８  監視装置、  １９  操作盤、  ２０  ドア、  ２１  秤装置、  ２２  乗場、  ３１  表示器、  ３２  入力装置、  ４１  記憶部、  ４２  通信部、  ４３  判定部、  ４４  特定部、  ４５  登録部、  ４６  条件判定部、  ５１  通信部、  ５２  判定部、  ５３  検出部、  ５４  判定部、  ５５  禁止部、  ６０  処理回路、  ６１  プロセッサ、  ６２  メモリ、  ６３  専用ハードウェア
【要約】
エレベーターシステムは、例えばかご（１１）、発信装置（２）、サーバ（４）、及び監視装置（１８）を備える。サーバ（４）の記憶部（４１）に、子供が所持する第１機器を特定するための第１識別情報が、その子供の保護者が所持する第２機器を特定するための第２識別情報に紐付けて記憶される。監視装置（１８）の通信部５１は、閉じ込めが検出されると、サーバ（４）から子供情報を受信していれば、ビルで閉じ込めが発生したことをサーバ（４）から第２機器に通知するための情報をサーバ（４）に送信する。【図１】
0006795127.tif 000002
【図２】
0006795127.tif 000003
【図３】
0006795127.tif 000004
【図４】
0006795127.tif 000005
【図５】
0006795127.tif 000006
【図６】
0006795127.tif 000007
【図７】
0006795127.tif 000008
【図８】
0006795127.tif 000009
【図９】
0006795127.tif 000010
【図１０】
0006795127.tif 000011
【図１１】
0006795127.tif 000012
【図１２】
0006795127.tif 000013
【図１３】
0006795127.tif 000014
【図１４】
0006795127.tif 000015
【図１５】
0006795127.tif 000016
【図１６】
0006795127.tif 000017
【図１７】
0006795127.tif 000018